(57)【要約】【課題】本発明は、主電池が外されたり主電池の低電圧により電源断になったりした場合であっても、主電池が接続されたり主電池が充電されたりした際に、電源のＯＮ／ＯＦＦ状態に関わらず、寸時に正確な現在時刻を再設定できる携帯電話機を提供する。【解決手段】携帯電話機の主体動作を行うための主電池１２ａを着脱自在に備えた携帯電話機であって、主電池１２ａにより供給された電力を用いて現在時刻を計時する計時手段１９と、主電池１２ａが一旦外された後、再び接続されたことに基づいて、基地局から現在時刻を取得する取得手段１９ａと、取得された現在時刻を、計時手段１９により計時されている現在時刻として設定する設定手段と、を備えた。【選択図】  図５
2009021671.tif 000002
【特許請求の範囲】
【請求項１】
携帯電話機の主体動作を行うための主電池を着脱自在に備えた携帯電話機であって、
前記主電池により供給された電力を用いて現在時刻を計時する計時手段と、
前記主電池が一旦外された後、再び接続されたことに基づいて、基地局から現在時刻を取得する取得手段と、
前記取得手段により取得された現在時刻を、前記計時手段により計時されている現在時刻として設定する設定手段と、
を備えたことを特徴とする携帯電話機。
【請求項２】
携帯電話機の主体動作を行うための充電型の主電池を着脱自在に備えた携帯電話機であって、
前記主電池により供給された電力を用いて現在時刻を計時する計時手段と、
前記主電池が一旦低電圧により電源断になった後に充電が開始されたことに基づいて、基地局から現在時刻を取得する取得手段と、
前記取得手段により取得された現在時刻を、前記計時手段により計時されている現在時刻として設定する設定手段と、
を備えたことを特徴とする携帯電話機。
【請求項３】
前記計時手段は、電源のＯＮ／ＯＦＦ状態に関わらず現在時刻を計時し、
前記取得手段、及び前記設定手段は、電源ＯＦＦ状態で処理を行う請求項１または２記載の携帯電話機。
【請求項４】
スケジュールの開始時刻情報とこのスケジュールが実行されたか否かを示す実行状況情報とが対応付けられたスケジュール情報を記憶する記憶手段と、
前記設定手段により現在時刻が設定された際に、前記スケジュール情報に基づいて、開始時刻を過ぎているのに実行されていないスケジュールがあった場合、この旨を通知する通知手段と、
を備えた請求項１または２記載の携帯電話機。
【請求項５】
前記通知手段は、開始時刻を過ぎているのに実行されていないスケジュールがあった場合、アラームを発生させる請求項１または２記載の携帯電話機。
【発明の詳細な説明】
【技術分野】
【０００１】
本発明は、電力供給源として主電池のみを内蔵した携帯電話機に係り、具体的には、主電池が接続された際に現在時刻の再設定を行う携帯電話機に関する。
【背景技術】
【０００２】
従来の携帯電話機は主電池と副電池を備えているものが殆どであり、このような携帯電話機では、主電池により携帯電話機の主体動作が行われ、携帯電話機の主電池が動作しないときに副電池によりメモリを保持したり時刻を計時したりする動作が行われている。このように携帯電話機に複数の電池を備えることにより、主電池が外された場合であっても副電池で時計を動作させることが出来るため、現在時刻を正確に保持することが可能となっている。
【０００３】
しかし、携帯電話機に電池を複数備えることにより、装置が大きくなってしまうとともに重量も増してしまい、さらにこれらを搭載するための費用も必要となってしまうため、移動体として携帯される携帯電話機において、電力供給源を主電池のみとすることが望ましい場合もある。そこで、例えば特許文献１には、電波時計を内蔵することにより時刻の校正を随時行える携帯電話機が記載されている。この携帯電話機では、電波時計を内蔵することにより二次電池の搭載が不要となっている。
【特許文献１】特開２００４−１５７１３号公報
【発明の開示】
【発明が解決しようとする課題】
【０００４】
電池を一つしか備えていない携帯電話機の場合、時計の主体動作が主電池のみで行われる。そのため、携帯電話機から主電池が外されたり主電池の低電圧により電源断になったりした場合、時計を動作させることができなくなり、現在時刻が初期化されてしまう。そして現在時刻が初期化された後に主電池が接続された場合、時計を再び動作させることができても正確な現在時刻が分からなくなっているため、正確な現在時刻を再設定することができずに初期化状態のままとなってしまう。この場合、ユーザが電源をＯＮにして現在時刻を再設定しない限り、スケジューラやアラーム等の時刻を利用するサービスが行えなくなってしまうという問題があった。
【０００５】
本発明は、上記課題を鑑みなされてものであり、主電池が外されたり主電池の低電圧により電源断になったりした場合であっても、主電池が接続されたり主電池が充電されたりした際に、電源のＯＮ／ＯＦＦ状態に関わらず、寸時に正確な現在時刻を再設定できる携帯電話機を提供することを目的とする。
【課題を解決するための手段】
【０００６】
上記課題を解決するために、本発明に係る携帯電話機は、携帯電話機の主体動作を行うための主電池を着脱自在に備えた携帯電話機であって、前記主電池により供給された電力を用いて現在時刻を計時する計時手段と、前記主電池が一旦外された後、再び接続されたことに基づいて、基地局から現在時刻を取得する取得手段と、前記取得手段により取得された現在時刻を、前記計時手段により計時されている現在時刻として設定する設定手段と、を備えたことを特徴とする。
【発明の効果】
【０００７】
本発明に係る携帯電話機によると、主電池が外されたり主電池の低電圧により電源断になったりした場合であっても、主電池が接続されたり主電池が充電されたりした際に、電源のＯＮ／ＯＦＦ状態に関わらず、寸時に正確な現在時刻を再設定することができ、主電池の脱着後においても時刻を利用したサービスを行うことが可能となる。
【発明を実施するための最良の形態】
【０００８】
本発明に係る携帯電話機の実施形態について、添付図面を参照しながら説明する。図１は、本発明に係る携帯電話機１が適用されるネットワークシステム２を示すシステム構成図である。図１に示すように、ネットワークシステム２はネットワーク３を備えている。ネットワーク３は、例えば携帯電話網であり、携帯電話機１の通信サービス提供エリア内に、固定無線局である基地局４が有線回線を介して複数設置されている。移動無線局である携帯電話機１は、この基地局４に対して例えばＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式と呼ばれる符号分割多元接続方式によって無線接続されていて、この基地局４を介して、他の携帯電話機と音声通話を行ったりデータ通信を行ったりする。
【０００９】
またネットワークシステム２には、受信者と衛星の位置関係を測定して現在地の緯度・経度、高度等を計算するＧＰＳ（Ｇｌｏｂａｌ  Ｐｏｓｉｔｉｏｎｉｎｇ  Ｓｙｓｔｅｍ）システムのＧＰＳ放送局５が設定されている。携帯電話機１は、このＧＰＳ放送局５から放送されている電波を受信することにより、携帯電話機１の現在位置を示す緯度、経度、高度等の情報であるＧＰＳ情報を取得する。
【００１０】
図２は、本発明に係る携帯電話機１の機能ブロック図である。携帯電話機１は、図２に示すように、主制御部１１、電源回路部１２、操作入力制御部１３、表示制御部１４、音声コーデック１５、変復調回路部１６、記憶部１７、時計部１８、スケジュール管理部１９、及びＧＰＳ受信部１９がバスによって接続されて構成される。
【００１１】
主制御部１１は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、様々な演算処理や制御処理等を行う。電源回路部１２は、ユーザによる操作キー２１を介した入力に基づいて電源のオン／オフ状態を切り替え、電源がオン状態の場合には内蔵する電力供給源から各部に対して電力を供給して、携帯電話機１を動作可能にする。なお、電源回路部１２は、電力供給源として着脱自在な主電池１２ａを備えている。
【００１２】
操作入力制御部１３は、操作キー２１に対する入力インタフェースを備え、操作キー２１によって入力されたデータを主制御部１１に伝送する。表示制御部１４は、液晶ディスプレイ２２に対する表示インタフェースを備え、主制御部１１の制御に基づいて、文書データや画像データ等を液晶ディスプレイ２２に表示する処理を行う。
【００１３】
携帯電話機１は、他の携帯電話機に対して、例えば基地局４を介して音声通話処理を行う。すなわち音声コーデック１５は、主制御部１１の制御に基づいて、マイクロフォン２３で集音した音声からアナログ音声信号を生成する。変復調回路部１６は、音声通話の際に、音声コーデック１５からアナログ信号を入力すると、この信号をデジタル信号に変換して送受信回路部２５に伝送する。送受信回路部２５はこのデジタル音声信号をアンテナ２６を介して基地局４（ネットワーク３）に送信する。
【００１４】
変復調回路部１６は、送受信回路部２５がアンテナ２６を介して基地局４（第１のネットワーク３）から受信したデジタル音声信号を、アナログ音声信号に変換する。音声コーデック１５は、音声通話の際に、変復調回路部１６からアナログ音声信号を取得して、スピーカ２４から音声として出力する。
【００１５】
また、携帯電話機１は、他の携帯電話機や通信機器に対してデータ通信処理を行う。すなわち携帯電話機１は、電子メールやＷｅｂ閲覧データ、画像データ、映像データ等の様々なデータの送受信処理を行う。主制御部１１は、データを受信する際、送受信回路部２５がアンテナ２６を介して基地局４（ネットワーク３）から受信した受信信号を変復調回路部１６でスペクトラム逆拡散処理して、データを復元する。このデータは、主制御部１１の指示により、表示制御部１４を介して液晶ディスプレイ２２に表示されたり記憶部１７に記録されたりする。
【００１６】
また主制御部１１は、操作入力部１３を介して入力されたデータや記憶部１７に記憶されたデータを送信する際、変復調回路部１６がデータに対してスペクトラム拡散処理を行い、送受信回路部２５がアンテナ２６を介して基地局４（ネットワーク３）に送信する。
【００１７】
記憶部１７は、主制御部１１が行う処理の処理プログラムや処理に必要なデータ等を格納するＲＯＭ（Ｒｅａｄ  Ｏｎｌｙ  Ｍｅｍｏｒｙ）やハードディスク、不揮発性半導体メモリ、及び、主制御部１１が処理を行う際に使用されるデータを一時的に記憶するＲＡＭ（Ｒａｎｄｏｍ  Ａｃｃｅｓｓ  Ｍｅｍｏｒｙ）等からなる。後述する時刻管理処理やスケジュール管理処理を行う際の処理プログラムは、例えばＲＯＭに記憶されている。
【００１８】
また記憶部１７は、スケジュール管理部２０がスケジュール管理を行うためのスケジュール情報３０を記憶している。スケジュール情報３０は、ユーザにより登録されたスケジュールの指定時刻になったらその旨をユーザに対して通知するための情報であり、図３に示すように、スケジュールの項目名を示す項目名情報３１、スケジュールの開始時刻を示す指定時刻情報３２、スケジュールの開始時刻にアラームを発生させるか否かを示すアラーム情報３３、スケジュールの開始時刻に表示する内容を示す表示内容情報３４、スケジュールの開始時刻に発生させる音の種類を示す音声情報３５、及び通知を行ったか否かを示す実行状況情報３６を含んでいる。
【００１９】
アラーム情報３３は、例えば指定時刻にアラームを発生させる場合には「ＯＮ」、発生させない場合には「ＯＦＦ」で示されている。表示内容情報３４は、ユーザにより入力された文字列やユーザにより指定された画像で示されている。音声情報３５は、アラーム情報３３が「ＯＮ」になっている場合にアラーム音として発生させる音に関する情報が曲のタイトル等で示されている。実行状況情報３６は、例えば、既に通知が行われた場合には「済」、未だ通知が行われていない場合には「未」で示されている。項目名情報３１乃至音声情報３５は、例えばユーザにより操作キー２１を介して入力され、実行状況情報３６は、スケジュール管理部２０により設定される。
【００２０】
例えば図３に示すスケジュール情報３０においては、例えば、「起床」に関するスケジュールとして、指定時刻「６：００」に「おはよう」の文字列を表示させるとともに、アラーム音を「第九」の曲を用いて発生させるようにスケジュールが設定されていて、その処理が既に行われたことを示す。また、「昼食」に関するスケジュールとして、指定時刻「１２：００」に画像１を表示させるとともに、アラーム音をアラーム１を用いて発生させるようにスケジュールが設定されていて、その処理が未だ行われていないことを示す。
【００２１】
ＧＰＳ受信部１８は、ＧＰＳ基地局５により放送されている電波を受信するアンテナ１８ａを備え、この電波に基づいて携帯電話機１の現在位置を示すＧＰＳ情報を取得し、主制御部１１や時計部１９に伝送する。なお、ＧＰＳ情報は、現在時刻を示す情報を含んでいる。
【００２２】
時計部１９は、ＲＴＣ（Ｒｅａｌ  Ｔｉｍｅ  Ｃｌｏｃｋ）回路を用いて計時する内臓時計を備えていて、電源ＯＮ状態において電源回路部１２より電力を供給されることにより現在時刻を計時している。ＲＴＣ回路は、主電池１２ａが接続されている限り、電源がＯＦＦ状態の間も主電池１２ａから電源供給を受けて動作する計時専用のチップである。また時計部１８は、通信手順が記された通信プロトコル１９ａを有しており、この通信プロトコル１９ａを起動することにより、基地局４やＧＰＳ放送局５から正確な現在時刻を取得することができる。
【００２３】
スケジュール管理部２０は、時計部１９で計時されている現在時刻、及び記憶部１７に記憶されているスケジュール情報３０に基づいて、指定時刻にスケジュールの内容を表示したりアラームを発生させたりするスケジュール管理処理を行う。このスケジュール管理処理は現在時刻に基づいて動作するため、スケジュール管理処理を行う際には時計部１９から正確な現在時刻を取得する必要がある。
【００２４】
携帯電話機１は、電源回路部１２の電力供給源として主電池１２ａを備えているが、その他の電力供給源である副電池を備えていない。従来の電力供給源を一つしか持たない携帯電話機において、内臓時計を備えた時計部は電力供給源から供給された電力を用いて動作している。よって主電池が外された場合、時計部が正確な現在時刻を計時することができなくなり、現在時刻が初期化されてしまう。また、この従来の携帯電話機に主電池が再び接続された場合、時計部を再び動作させることができるが、正確な現在時刻が分からなくなっているため現在時刻の再設定が行えず、初期化状態のままとなってしまう。よって、このような従来の携帯電話機では、電源がＯＦＦ状態になっている間、正確な現在時刻を保持できないためにスケジュール管理処理が行えない。
【００２５】
そこで、本発明の携帯電話機１は、主電池１２ａが一旦外された後に再び接続された時に、電源のＯＮ／ＯＦＦ状態に関わらず、寸時に通信プロトコル１９ａを起動して基地局４やＧＰＳ放送局５から正確な現在時刻を取得し、現在時刻を再設定する。これにより、携帯電話機１は、主電池１２ａの脱着後であっても、電源のＯＮ／ＯＦＦ状態に関わらず時計部１９は正確な現在時刻を計時できるため、電源がＯＦＦ状態であっても時刻を利用したスケジュール管理処理等のサービスを行うことができる。
【００２６】
ここで、携帯電話機１において一旦外された主電池１２ａを再び接続した際に、携帯電話機１の時計部１９が現在時刻管理処理を行う際の手順について、図４に示すフローチャート、図５に示す説明図に基づいて説明する。なお、始めに携帯電話機１から主電池１２ａが外されているものとする。以下、例えば「ステップＳ１０１」を「Ｓ１０１」のように、「ステップ」の語句を省略して説明する。
【００２７】
始めに携帯電話機１は、図５の（Ａ）に示すように、電源回路部１２に接続された主電池１２ａから電力供給がされて、時計部１９のＲＴＣ回路が現在時刻を計時している。しかし、図５の（Ｂ）に示すように、携帯電話機１において主電池１２ａが外されてしまうと、時計部１９が有するＲＴＣ回路に電力供給がされていないため、時計部１９は現在時刻を計時することができなくなってしまう。また、図５の（Ｃ）に示すように、携帯電話機１に主電池１２ａを再び接続した際に、主電池１２ａから電力供給がされてＲＴＣ回路が再び動き始めても、既に現在時刻がくるってしまっているので、時計部１９において時刻が進むのみで、正確な現在時刻を計時することができない。
【００２８】
そこで時計部１９は、主電池１２ａが接続された際に、現在時刻を一旦初期化し、正確な現在時刻を新たに設定する必要がある。まず時計部１９は、携帯電話機１に主電池１２ａか接続されたか否かを判断する（Ｓ１０１）。主電池１２ａか接続されていない場合（Ｓ１０１のＮｏ）は、時計部１９はそのまま待機する。
【００２９】
図５の（Ｄ）に示すように、携帯電話機１に主電池１２ａが接続される（Ｓ１０１のＹｅｓ）と、時計部１９は、通信プロトコル１９ａを起動する（Ｓ１０３）。この通信プロトコル１９ａには、正確な現在時刻を取得して時計部１９に設定する手順が記されている。時計部１９は、通信プロトコルを起動して、例えば基地局４により放送されている電波をアンテナ２６を介して取得する（Ｓ１０５）。この基地局４から放送されている電波には現在時刻を示す情報が含まれている。
【００３０】
すなわち基地局４は、正確な現在時刻を示すシステム時刻情報を随時放送していて、携帯電話機１はアンテナ２６を介してこのシステム時刻情報を受信して現在時刻として設定する。なお、携帯電話機１が取得する時刻情報は基地局４から放送された時刻情報に限定されず、ＧＰＳ放送局５が放送する現在時刻の情報をＧＰＳ受信部１８が受信することにより取得しても良い。
【００３１】
時計部１９は、現在時刻を取得したか否かを判断する（Ｓ１０７）。現在時刻を取得していない場合（Ｓ１０７のＮｏ）は、時計部１９はそのまま待機する。現在時刻を取得した場合（Ｓ１０７のＹｅｓ）は、時計部１９は、Ｓ１０７にて取得した現在時刻をＲＴＣ回路と同期させて、現在時刻を設定する（Ｓ１０９）。これにより、ＲＴＣ回路により計時される時刻が正確な現在時刻に設定される。時計部１９は、Ｓ１０９にて現在時刻が設定されると、通信プロトコルを終了する（Ｓ１１１）。
【００３２】
これらのステップＳ１０１乃至Ｓ１１１の処理は、電源がＯＦＦ状態のままで行われる。これにより、携帯電話機１に電力が供給されなくなったことにより、携帯電話機１の内臓時計の現在時刻がくるってしまった場合でも、電源をＯＮ状態にしなくとも、電源がＯＦＦ状態のままで、正確な現在時刻を設定することができる。
【００３３】
時計部１９により現在時刻が設定されると、図５の（Ｅ）に示すように、スケジュール管理部２０がＳ１０９にて設定した正確な現在時刻に基づいてスケジュール管理を行うことができるようになる。この際、主電池１２ａが外されてから携帯電話機１に接続されるまでの間に、携帯電話機１において現在時刻を利用したサービスが設定されていた場合、これが実行されずに残っている可能性がある。そのためスケジュール管理部２０は、記憶部１２からスケジュール情報３０を取得する（Ｓ１１３）。
【００３４】
また、携帯電話機１から主電池１２ａが外されていた間に予定されていたスケジュールの処理が実行されていない可能性がある。これを考慮し、スケジュール管理部２０は、スケジュール情報３０から未実行のスケジュールがあるか否かを判断する（Ｓ１１５）。ここでは、例えば、スケジュール管理部２０はスケジュール情報３０から実行状況情報３６が「未」となっている項目があるか否かを判断する。
【００３５】
未実行のスケジュールがあった場合（Ｓ１１５のＹｅｓ）は、スケジュール管理部２０は、未実行のスケジュールの指定時刻が過ぎているか否かを判断する（Ｓ１１７）。すなわちスケジュール管理部２０は、スケジュール情報３０の指定時刻情報３２に示されている時刻が、現在時刻より以前であるか否かを判断する。指定時刻を過ぎている未実行のスケジュールがあった場合、その旨をユーザに対して通知する必要があるからである。
【００３６】
未実行のスケジュールの指定時刻が過ぎていた場合（Ｓ１１７のＹｅｓ）は、スケジュール管理部２０は、このスケジュールのアラームが「ＯＮ」になっているか否かを判断する（Ｓ１１９）。すなわちスケジュール管理部２０は、このスケジュールのアラーム情報３３が「ＯＮ」であるか否かを判断する。アラームが「ＯＮ」になっている場合（Ｓ１１９のＹｅｓ）は、スケジュール管理部２０は、音声コーデック１５に対して音声情報３５で指定されている音声をスピーカ２４を介して発生させるように指示を出す（Ｓ１２１）。
【００３７】
スケジュール管理部２０は、表示内容情報３４で示されている表示内容を、表示制御部１４に対して液晶ディスプレイ２２を介して表示するように指示を出す（Ｓ１２３）。またスケジュール管理部２０は、このスケジュールに関してユーザに通知する処理を行ったので、実行状況情報３６を「済」にする（Ｓ１２５）。
【００３８】
スケジュール管理部２０は、Ｓ１１５に戻って、他の未実行のスケジュールがあるか否か判断する。未実行のスケジュールがある場合は、再びＳ１１７乃至Ｓ１２５の処理を行う。他の未実行のスケジュールがない場合（Ｓ１１５のＮｏ）は、現在時刻管理処理を終了する。
【００３９】
携帯電話機１において主電池１２ａが接続された際にスケジュール管理部２０が行う処理について、例えば図５に示すように、「１０：００」に主電池１２ａが外されて「１５：００」に再び接続されたものとして説明する。この場合、１０：００から１５：００の間、携帯電話機１に電力供給がされていなかったことになる。よって、スケジュール情報３０において、指定時刻が「６：００」のスケジュール「起床」に関する処理は実行済であるが、指定時刻が「１２：００」のスケジュール「昼食」と指定時刻が「１３：３０」のスケジュール「会議」とが、指定時刻を過ぎたのに実行されていないことになる。
【００４０】
まずスケジュール「昼食」に関して説明する。Ｓ１１５にて実行状況情報３６が「未」なのでＹｅｓに進み、指定時刻情報が「１２：００」で現在時刻が「１５：００」であり、指定時刻を過ぎているので、Ｓ１１７にてＹｅｓに進み、アラーム情報３３が「ＯＮ」なのでＳ１１９にてＹｅｓに進んで音声情報「アラーム１」に基づいて、警告音としてアラーム１の音声を発生させる。またＳ１２３にて、図６に示すように、表示内容情報３４の「画像１」に基づいて、液晶ディスプレイ２２に表示画面４０を表示させる。表示画面４０には、スケジュール「昼食」の指定時刻が過ぎた旨や、表示内容情報３４で指定されている画像１が表示される。
【００４１】
またスケジュール「会議」に関して説明する。Ｓ１１５にて実行状況情報３６が「未」なのでＹｅｓに進み、指定時刻情報が「１３：３０」で現在時刻が「１５：００」であり、指定時刻を過ぎているので、Ｓ１１７にてＹｅｓに進み、アラーム情報３３が「ＯＦＦ」なのでＳ１１９にてＮｏに進む。またＳ１２３にて、図７に示すように、表示内容情報３４の「第１会議室！！」に基づいて、液晶ディスプレイ２２に表示画面４１を表示させる。表示画面４１には、スケジュール「会議」の指定時刻が過ぎた旨や、表示内容情報３４で指定されている文字列である「第１会議室！！」が表示させる。
【００４２】
なお、前述したステップＳ１０１乃至Ｓ１１１の時刻管理処理やステップＳ１１５乃至Ｓ１２５のスケジュール管理処理は、電源のＯＮ／ＯＦＦ状態に関わらず行われるため、電池が外されて携帯電話機１の電源がＯＦＦ状態になっている場合においても、正確な現在時刻が保持され、この正確な現在時刻に基づいてスケジュール管理処理が行われる。また、スケジュール管理処理を行う際に電源をＯＮ状態にする必要がある場合は、スケジュール管理部２０は、このスケジュールの指定時刻に基づいて、携帯電話機１の電源をＯＮ状態に設定する。
【００４３】
このようにして携帯電話機１では、唯一の電力供給源である主電池１２ａが一旦外されたためにＲＴＣ回路により計時されている現在時刻が初期化されてしまった場合に、再び主電池１２ａが接続された際に、寸時に時計部１９が通信プロトコル１９ａを起動して基地局４やＧＰＳ放送局５から正確な現在時刻を取得して、これをＲＴＣ回路に再設定することにより、スケジュール管理処理等の時刻を利用したサービスを行うことができる。
【００４４】
また、時計部１９がステップＳ１０１乃至Ｓ１１１の処理を電源がＯＦＦ状態のままで行うことにより、例えばユーザが携帯電話機１で目覚まし（アラーム）機能の設定を行っていた場合等に、主電池１２ａを携帯電話機１に接続し直してそのまま寝てしまっても、電源ＯＦＦ状態のままで現在時刻の再設定が行われて、予定通りの時刻にアラームを発生させることができる。
【００４５】
携帯電話機１は、図８の（Ａ）に示すように、電源回路部１２に接続された主電池１２ａから電力供給がされて、時計部１９のＲＴＣ回路が現在時刻を計時している状態から、図８の（Ｂ）に示すように、主電池１２ａの低電圧により電源断になってしまうと、時計部１９が有するＲＴＣ回路に電力供給がされていないため、時計部１９は現在時刻を計時することができなくなってしまう。図８の（Ｃ）に示すように、携帯電話機１の電源回路部１２に充電器を接続して、主電池１２ａを充電した際に、ＲＴＣ回路が主電池１２ａから電力供給がされて再び動作をし始める。しかし、既に現在時刻がくるってしまっているので、図５に示すような主電池が外されてしまった場合と同様に、時計部１９において時刻が進むのみで、正確な現在時刻を計時することができない。
【００４６】
この主電池１２ａの低電圧により電源断になってしまった場合も同様に、携帯電話機１において、前述したステップＳ１０１乃至Ｓ１２５の処理が行われる。これにより、唯一の電力供給源である主電池１２ａの低電圧により電源断になってしまったためにＲＴＣ回路により計時されている現在時刻が初期化されてしまった場合に、再び主電池１２ａが接続された際に、図８の（Ｄ）及び（Ｅ）に示すように、寸時に時計部１９が通信プロトコル１９ａを起動して基地局４やＧＰＳ放送局５から正確な現在時刻を取得して、これをＲＴＣ回路に再設定することにより、スケジュール管理処理等の時刻を利用したサービスを行うことができる。
【００４７】
なお、実施形態として、スケジュール情報３０により指定された時刻になると、アラームや表示によりユーザにスケジュールを通知する処理を行う例について説明したが、これらに限定されず、指定されたアプリケーションプログラムを実行したり地上波デジタル放送の録画を行ったり、その他の様々な処理を行うようにしても良い。例えば、主電池１２ａが外されていて電力供給がされなかった等により、指定時刻に実行されるように設定されていたアプリケーションプログラムが実行されなかった場合、携帯電話機１は、このアプリケーションプログラムを実行するか否かの指示を促すような表示を行っても良い。
【００４８】
本発明に係る携帯電話機１によると、主電池が外されたり主電池の低電圧により電源断になったりした場合であっても、主電池が接続されたり主電池が充電されたりした際に、電源のＯＮ／ＯＦＦ状態に関わらず、寸時に正確な現在時刻を再設定することができ、主電池の脱着後においても時刻を利用したサービスを行うことが可能となる。
【００４９】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、ノート型ＰＣ（Ｐｅｒｓｏｎａｌ  Ｃｏｍｐｕｔｅｒ）、携帯型ゲーム機等の内蔵時計により時刻を計時している情報処理端末であれば任意の情報処理端末であっても良い。
【図面の簡単な説明】
【００５０】
【図１】本発明に係る携帯電話機が適用されるネットワークシステムのシステム構成図。
【図２】本発明に係る携帯電話機の機能ブロック図。
【図３】スケジュール情報のデータ構成図。
【図４】本発明に係る携帯電話機が現在時刻設定処理を行う際の手順を示すフローチャート。
【図５】本発明に係る携帯電話機による現在時刻設定処理を説明するための図。
【図６】本発明に係る携帯電話機により現在時刻設定処理が行われた際の画面図。
【図７】本発明に係る携帯電話機により現在時刻設定処理が行われた際の画面図。
【図８】本発明に係る携帯電話機による現在時刻設定処理を説明するための図。
【符号の説明】
【００５１】
１…携帯電話機，２…ネットワークシステム，３…ネットワーク，４…基地局，５…ＧＰＳ放送局，１１…主制御部，１２…電源回路部，１２ａ…主電池，１３…操作入力制御部，１４…表示制御部，１５…音声コーデック，１６…変復調回路部，１７…記憶部，１８…ＧＰＳ受信部，１９…時計部，１９ａ…通信プロトコル，２０…スケジュール管理部，２１…操作キー，２２…液晶ディスプレイ，２３…マイクロフォン，２４…スピーカ，２５…送受信回路部，２６…アンテナ，３０…スケジュール情報，４０、４１…表示画面。
【図１】
2009021671.tif 000003
【図２】
2009021671.tif 000004
【図３】
2009021671.tif 000005
【図４】
2009021671.tif 000006
【図５】
2009021671.tif 000007
【図６】
2009021671.tif 000008
【図７】
2009021671.tif 000009
【図８】
2009021671.tif 000010